(57)【要約】【課題】水素を身体に吸収しやすい方法を提供し水素による健康の増進効果を高めること。【解決手段】本発明は、水素ガス、水素と霧および／または空気を混合した水素混合ミスト、水素空気混合気体、または水素霧空気混合気体を供給する水素供給システムであり、水素供給システムの出口部に吸入マスクを接続し、吸入マスクに口および／または鼻を当てて、口および／または鼻から水素、または水素混合ミスト、または水素空気混合気体、または水素空気混合気体、または水素霧空気混合気体を吸入可能にしたことを特徴とする。また、水素供給システムの出口部にヘアキャップを取り付け、ヘアキャップの内側に水素等を供給することができるようにし、頭にヘアキャップを装着したときに、頭部に水素等を接触できるようにしたことを特徴とする。【選択図】図１
2018023562.tif 000002
【特許請求の範囲】
【請求項１】
水素発生装置で発生した水素を身体に供給することを特徴とする水素発生装置を含む水素供給システム、或いは、水素発生装置で発生した水素を身体に供給することを特徴とする水素発生装置を含む水素供給システムであって、さらに霧発生装置および／または空気供給装置を含み、前記霧発生装置で発生した霧および／または前記空気供給装置から供給した空気を水素発生装置で発生した水素と混合した気体を身体に供給することを特徴とする水素供給システム。
【請求項２】
前記水素は、前記水素発生装置で発生した水素であり、前記水素発生装置で発生した水素を、水素導入管を通して水素捕集用容器に入った水中へ導き、水素捕集用容器で捕集した水素であることを特徴とする、請求項１に記載の水素供給システム。
【請求項３】
前記水素導入管の水素出口にバブラーを配置したことを特徴とする、請求項２に記載の水素供給システム。
【請求項４】
水素捕集用容器で生成した水素水を健康用水として使用することを特徴とする、請求項２に記載の水素供給システム。
【請求項５】
水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を吸入マスクに接続し、前記吸入マスクに口および／または鼻を当てて、口および／または鼻から水素、または水素混合ミスト、または水素空気混合気体、または水素霧空気混合気体を吸入可能にしたことを特徴とする、請求項１〜４のいずれかの項に記載の水素供給システム。
【請求項６】
水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管をヘアキャップに取り付け、前記ヘアキャップの内側に水素、または水素混合ミスト、または水素空気混合気体、または水素霧空気混合気体を供給することができるようにし、頭にヘアキャップを装着したときに、頭部に水素、または水素混合ミスト、または水素空気混合気体、または水素空気混合気体、または水素霧空気混合気体を接触できるようにしたことを特徴とする、請求項１〜４のいずれかの項に記載の水素供給システム。
【請求項７】
ヘアキャップにヘアバンドが取り付けられ、頭にヘアキャップを装着しヘアバンドでヘアキャップを頭に締め付けることができることを特徴とする、請求項６に記載の水素供給システム。
【請求項８】
ヘアキャップにヘアキャップと頭の間の水素、または水素混合ミスト、または水素空気混合気体、または水素霧空気混合気体をガス抜きする出口を取り付けたことを特徴とする、請求項６または７に記載の水供給システム。
【請求項９】
開口部を有するボックスに水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を接続し、前記ボックス内に開口部から挿入した手、指、および爪に前記導入管から供給した水素、または水素混合ミスト、または水素空気混合気体、または水素空気混合気体、または水素霧空気混合気体を当てることを特徴とする、請求項１〜４のいずれかの項に記載の水素供給システム。
【発明の詳細な説明】
【技術分野】
【０００１】
本発明は、水素ガスを用いた健康システムに関する。
【背景技術】
【０００２】
近年水素は水素自動車の燃料として注目されているが、水素を水に溶かした水素水が健康増進に有用であることが報告されている。たとえば、水素水を日常的に飲料すると細胞が若返るなどエイジングケアなどとして美容への効果だけでなく、様々な疾患への改善効果が認められ、一部の病院では治療の一環として水素の摂取等が取り入れられている。（特許文献１）
【先行技術文献】
【特許文献】
【０００３】
【特許文献１】特開２００９−２２９７７
【発明の概要】
【発明が解決しようとする課題】
【０００４】
水素水以上に健康増進に有用な方法を提供することである。特に水素を身体に吸収しやすい方法を提供し、水素による健康の増進効果を高めることを目的とする。
【課題を解決するための手段】
【０００５】
本発明は、水素ガス、水素と霧および／または空気を混合した水素混合ミスト、水素空気混合気体、または水素霧空気混合気体を供給する水素供給システムであり、それを用いて水素ガス、水素混合ミスト、水素空気混合気体、または水素霧空気混合気体を身体に供給し、身体の健康増進をはかる健康器具であり、具体的には以下の特徴を有する。
（１）本発明は、水素発生装置で発生した水素を身体に供給することを特徴とする水素発生装置を含む水素供給システム、或いは、水素発生装置で発生した水素を身体に供給することを特徴とする水素発生装置を含む水素供給システムであって、さらに霧発生装置および／または空気供給装置を含み、前記霧発生装置で発生した霧および／または前記空気供給装置から供給した空気を水素発生装置で発生した水素と混合した気体を身体に供給することを特徴とする水素供給システムであり、前記水素は、前記水素発生装置で発生した水素であり、前記水素発生装置で発生した水素を水素導入管を通して容器（水素捕集用容器）に入った水中へ導き、前記容器（水素捕集用容器）で捕集した水素であり、前記水素導入管の水素出口にバブラーを配置し、水素捕集用容器で生成した水素水を健康用水として使用することを特徴とする。
【０００６】
（２）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、吸入マスクに接続し、前記吸入マスクに口および／または鼻を当てて、口および／または鼻から水素、または水素混合ミスト、または水素空気混合気体、または水素霧空気混合気体を吸入可能にしたことを特徴とする。
（３）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、開口部を有する目洗浄容器に接続し、前記目洗浄容器の開口部を目に向けて、水素、または水素混合ミスト、または水素空気混合気体、または水素霧空気混合気体を、目に接触させることを可能にしたことを特徴とし、あるいは、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、ゴーグルに接続し、前記ゴーグルの内側に、水素、または水素混合ミスト、または水素空気混合気体、または水素霧空気混合気体を、供給することができるようにし、眼にゴーグルを装着したときに、眼に水素、または水素混合ミスト、または水素空気混合気体、または水素霧空気混合気体を接触できるようにしたことを特徴とする。
【０００７】
（４）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、ヘアキャップに取り付け、前記ヘアキャップの内側に水素、または水素混合ミスト、または水素空気混合気体、または水素霧空気混合気体を供給することができるようにし、頭にヘアキャップを装着したときに、頭部に水素、または水素混合ミスト、または水素空気混合気体、または水素霧空気混合気体を接触できるようにし、またヘアキャップにヘアバンドが取り付けられ、頭にヘアキャップを装着しヘアバンドでヘアキャップを頭に締め付けることができることを特徴とし、さらに、ヘアキャップにヘアキャップと頭の間の水素、または水素混合ミスト、または水素空気混合気体、または水素霧空気混合気体をガス抜きする出口を取り付けたことを特徴とする。
（５）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、開口部を有するボックスに接続し、ボックス内に水素、または水素混合ミスト、または水素空気混合気体、または水素霧空気混合気体を供給することができるようにし、開口部から脚部をボックス内に入れたときに、ボックス内に入れた脚部に水素、または水素混合ミスト、または水素空気混合気体、または水素霧空気混合気体を接触できるようにし、ボックスの開口部において、開口部から脚部をボックス内に入れた後に脚部を締めつける機構を有することを特徴とし、またボックスにボックス内の水素、または水素混合ミスト、または水素空気混合気体、または水素霧空気混合気体をガス抜きする出口を取り付け、さらにボックスにボックス内に生じた水を排出する排気口を取り付けたことを特徴とする。
【０００８】
（６）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、開口部を有するスカートに接続し、前記スカートの内側に水素、または水素混合ミスト、または水素空気混合気体、または水素霧空気混合気体を供給することができるようにし、開口部から下半身をスカート内に通して、スカート内に入れた下半身に水素、または水素混合ミスト、または水素空気混合気体、または水素霧空気混合気体を接触できるようにし、スカートの開口部において、開口部から下半身をボックス内に入れた後に下半身を締めつける機構を有することを特徴とし、またスカートの裾部は閉じており、スカートにスカートへ導入された水素、または水素混合ミスト、または水素空気混合気体、または水素霧空気混合気体をガス抜きする出口を取り付け、さらにスカートにスカート内に生じた水を排出する排水口を取り付けたことを特徴とする。
【０００９】
（７）本発明は、水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を、開口部を有するサウナに接続し、前記サウナ内に水素、または水素混合ミスト、または水素空気混合気体、または水素霧空気混合気体を供給することができるようにし、開口部から身体をサウナ内に入れて、サウナ内に入れた身体に水素、または水素混合ミスト、または水素空気混合気体、または水素霧空気混合気体を接触できるようにしたことを特徴とし、またサウナの開口部において、開口部から身体（下半身および上半身）をサウナ内に入れた後に首部または上半身を締めつける機構を有し、サウナにサウナ内へ導入された水素、または水素混合ミスト、または水素空気混合気体、または水素霧空気混合気体をガス抜きする出口を有することを特徴とする。
【００１０】
（８）本発明は、開口部を有するボックスに水素を導入する導入管、または水素と霧を混合した水素混合ミストを導入する水素混合ミスト導入管、または水素と空気を混合した水素空気混合気体を導入する水素空気混合気体導入管、または水素と霧と空気を混合した水素霧空気混合気体を導入する水素霧空気混合気体導入管を接続し、前記ボックス内に開口部から挿入した手、指、および爪に前記導入管から供給した水素、または水素混合ミスト、または水素空気混合気体、または水素霧空気混合気体を当てることを特徴とする。
（９）本発明は、前記吸入マスク、前記ゴーグル、前記ヘアキャップ、前記ボックス、前記スカート、または前記サウナの一部または全部の材質は、金属、プラスチック、或いはアルミ箔または金属箔でラミネートしたものであることを特徴とする。
【発明の効果】
【００１１】
本発明の水素、水素混合ミスト、水素空気混合気体、または水素霧空気混合気体を口や鼻から吸入することにより、口、のど、鼻、器官、肺等から水素を身体へ吸収することができる。この結果、血圧の低下、血糖値等の低減を期待できる。また、本発明の水素、水素混合ミスト、水素空気混合気体、または水素霧空気混合気体を眼に接触することにより、眼の疲労を防止することも期待できる。本発明の水素、水素混合ミスト、水素空気混合気体、または水素霧空気混合気体を頭部に接触することによって、頭部の血流をスムーズにさせ、頭の回転を良くすることが期待できる。水素だけでも効果があるが、さらに水素混合ミスト、水素空気混合気体、または水素霧空気混合気体を用いても各種の健康増進効果を高めることができる。
【図面の簡単な説明】
【００１２】
【図１】図１は、本発明の第１の実施形態を示す図である。
【図２】図２は、本発明の第２の実施形態を示す図である。
【図３】図３は、本発明の第３の実施形態を示す図である。
【図４】図４は、本発明の第４の実施形態を示す図である。
【図５】図５は、本発明の第５の実施形態を示す図である。
【図６】図６は、本発明の第６の実施形態を示す図である。
【図７】図７は、バブラーの実施形態を示す図である。
【図８】図８は、手、つめに水素等を接触させる装置を示す図である。
【図９】図９は、水素注入前後の手の毛細血管の血流を示す図である。
【発明を実施するための形態】
【００１３】
本発明は、水素あるいは、小さな水滴が集まった霧に水素ガスを混合したシステム（以下、水素霧化システムと記載）とそれを用いた健康増進法に関するものであり、また水素と空気の混合気体を用いた健康増進法に関するものであり、さらに水素と空気と霧の混合気体を用いた健康増進法に関するものである。図１は、本発明の第１の実施形態を示す図である。本発明の第１の実施形態における水素霧化システム１０は、水素発生装置１１、水素発生装置１１で発生した水素を水素導入管（第１の水素導入管）１５を通して導入する水素水容器（水素捕集容器）１７、水素水容器から集められた水素をさらに水素導入管（第２の水素導入管）１９を通して、ミスト（霧）発生装置２２から発生したミスト（霧）と混合させ、その霧と水素の混合ガス（水素混合ミストと称する）を口および／または鼻で吸入する吸入マスク２３および吸入口２４を含む。
【００１４】
水素発生器１１において、酸化カルシウム剤（ＣａＯ）およびアルミニウム（Ａｌ）を入れた水素発生剤ホルダー１２を水素発生容器１１に入れた後、水素発生容器１１内に水を入れると、アルミニウム（Ａｌ）が水素発生反応促進剤になり水素（Ｈ２）が発生する。水素発生容器１１にはキャップ１３で蓋がされている。水素（Ｈ２）が発生すると水素は水素発生容器１１の上部である蓋（キャップ）１３の下部の空間に集まり、水素発生容器１１のキャップ１３の下部の空間の圧力が高まる。キャップ１３には気体出口１４が形成されており、水素発生容器１１内の水素は気体出口１４から押し出される。気体出口１４には水素導入管１５が接続されているので、気体出口１４から押し出された水素は水素導入管１５を通る。
【００１５】
水素水容器１７には水が入っており、その入り口は蓋２５で閉じられており、蓋２５と水素水容器１７内の水の間には空間が存在する。水素導入管１５は蓋２５に形成された水素導入入口１８に接続しており、さらに水素導入入口１８は水素水容器１７内の水素吸入管１６に接続して、水素吸入管１６は水素水容器１７の水中に入って、水中に入れられた水素吸入管１６の出口から水素水容器１７の水中に出ていく。水素水容器１７の水中に出た水素は、水素水容器（水素捕集容器）１７の上部の空間に集まり、水素が捕集される。水素捕集容器に集められた水素は、水素水容器１７の蓋２５に形成された出口２６から出ていく。水素水容器１７の蓋２５の出口２６には第２の水素導入管１９が接続し、この第２の水素導入管１９の出口２０はミスト（霧）発生装置２２の導入管８１と吸入マスク２３との接続部（接続管）２７の水素入口２１につながる。水素水容器１７内に入れられた水は、水素が溶け込み水素水となり、飲料できる。
【００１６】
また、空気供給装置２９から空気導入管８２から供給される空気を接続部（接続管）２７に接続すれば、水素および霧（ミスト）の混合気体（水素混合ミスト）にさらに空気を混合することができ、この混合気体（水素霧空気混合気体）を吸入マスク２３から出すことができる。空気供給装置２９としてたとえばエアーコンプレッサーが挙げられる。ミスト（霧）発生装置２２を接続しなければ、水素と空気が混合した水素空気混合気体を吸入マスク２３から出すことができる。また、ミスト（霧）発生装置２２も空気供給装置２９も接続しなければ水素を吸入マスク２３から出すことができる。水素発生器から出る水素量、ミスト（霧）発生装置２２から出るミスト（霧）量、空気供給装置２９から出る空気量を調節することによって、それぞれの混合割合を調節することができる。また、水素導入管、ミスト（霧）導入管、および／または空気供給管に、ヒーター等の加熱装置または冷却装置を付設して水素、ミスト（霧）、および／または空気を加温または冷却することもできる。ヒーターとして電熱線や赤外線等を用いることができる。冷却装置としてペルティエ法を使用することができる。
【００１７】
水素吸入管１６の出口にバブラー２８を接続して、バブラー２８を通して多数の水素気泡を発生させることもできる。多数の水素気泡を発生させることにより、水素水容器１７内に入れられた水に効率良く水素を溶かすことができる。すなわち、濃度の高い水素水を作ることができる。１気圧の水の水素飽和濃度は約1.6ppmであるが、バブラー２８を用いれば、この値に効率良く短時間で近づけることができる。水素水容器１７内の圧力を増加すれば、水の水素飽和濃度をさらに高くすることができる。尚、バブラー２８を取り付けても、水素水容器１７の上部の空間に出ていく水素量は殆ど変わらないことは当然である。
【００１８】
図７は、バブラーの実施形態を示す図である。図７（ａ）は第１のバブラーの実施形態であり、水素吸入管１６の出口に水平管５１を接続し、水平管５１の水素出口にバブラー５５を取り付けた状態を示している。バブラー５５の下部が水平管５１の水素出口に接続し、水素がバブラー５５の下部からバブラー５５の内部に入り、フィルター５３を通って、さらに多数の細孔が形成されたメッシュ５４を抜けて水素が水中へ出ていく。多数の細孔により水素は分散され、水素は細かい気泡（バブル）６１となって水中に入る。バブラー５５の上部の出口を広げれば、広い範囲の水中にバブルを分散することができる。フィルター５３は水素吸入管１６および水平管５１に入った水素に異物が入っていた場合に、それらの異物を除去するためのものであるが、図１に示すシステムでは、水素に異物が混入することがないので、フィルター５３を取り付けなくても良い。水素の分子は非常に小さい（１〜３オングストローム）ので、このサイズ以上の細孔を持つメッシュ５４を作製すれば、よりサイズの小さな水素気泡を発生させることができる。メッシュ５４として、たとえば、各種金属メッシュ、各種多孔質体（たとえば、多孔質繊維、スポンジ体、多孔質セラミック）がある。バブラー５５は交換可能であり、種々のサイズのバブラーや、種々のメッシュ・フィルターを有するバブラーに変更したり、あるいは、バブラー５５が汚れたり、破損したりした場合に交換できる。
【００１９】
図７（ｂ）は、第２のバブラーの実施形態であり、水素吸入管１６の出口に水平管５７が接続し、水平管５７には多数の細孔５８が形成されている。たとえば、水素吸入管１６の材質が、ガラス、石英、プラスチック、金属、またはセラミックであり、水平管５７もガラス、石英、プラスチック、金属、またはセラミックである。水平管５７に入った水素は多数の細孔５８から水中に出ていき、小さな気泡６１となる。所望の気泡サイズにより、細孔５８のサイズは１ｎｍ〜数ｍｍで形成できる。種々の細孔サイズを有する水平管５７を種々用意して、所望の気泡サイズに合わせて、水平管５７を交換することもできる。水平管５７の中にメッシュやフィルターを入れても良い。１０〜１００ｎｍ以下の細孔から得られる１００ｎｍ以下のサイズの水素ナノバブルは水中の飽和濃度が高くなるとともに、水中へ溶け込んだ水素は外へ抜けにくいので、水素水としての効果を長く持続できる。
【００２０】
図７（ｃ）は、第３のバブラーの実施形態であり、水素吸入管１６の出口に直接メッシュ状体５９を取り付ける。メッシュ状態５９は小さな細孔がつながっているので、水素吸入管１６の出口から出た水素はその繋がった細孔を通して水中へ出て行き、小さなバブル（気泡）６１となって出ていく。水素吸入管１６から出る水素はクリーンで異物は存在しないので、メッシュ状体５９はつまることはないが、逆に水中の異物や化合物が形成されてメッシュ状体５９がつまった場合は交換すれば良い。メッシュ状体５９として、たとえば、各種金属メッシュ、各種多孔質体（たとえば、多孔質繊維、スポンジ体、多孔質セラミック）がある。尚、図７（ａ）〜（ｃ）に記載したバブラー以外にも種々のバブラーを採用することができる。また、バブラーに布やスポンジ等のカバーを被せることもできる。
【００２１】
第２の水素導入管１９を通ってきた水素は接続部２７の水素入口２１から接続部２７に入り、ミスト（霧）発生装置２２から出てくる霧と混合して吸入マスク２３の吸入口２４から出ていく。また、空気供給装置２９から出てくる空気も混合して吸入マスク２３の吸入口２４から出ていく。以下では主に水素混合ミスト（水素霧混合気体）について説明するが、水素のみの気体、または水素と空気を混合した水素空気混合気体、または水素と霧（ミスト）と空気を混合した水素霧空気混合気体についても同様である。吸入口２４に口を開けて付けておけば、口の中に霧と水素ガスとの混合ガス（正確に言えば、霧はガスではないので、水素混合ミスト（霧）またはスチーム水素と呼んでも良い）が入る。霧は口の中や喉の粘膜を適度に湿らせるが、水素はその湿った粘膜を通して身体の中に入り、血液状態を良好にする。また喉の奥の方の器官や肺などまで達した水素も身体の中に入り、血管や細胞を元気にさせる。特に水素は活性酸素と結合しやすいので、身体中の活性酸素を無害にさせて、老化現象を抑制できると考えられる。さらにはがん予防効果も期待できる。吸引口２４に鼻をつけて鼻から水素を含む霧（霧と水素ガスとの混合ガス）を吸引すれば、鼻の粘膜からも水素を効率的に吸収できる。図１に示す装置から出る水素等を顔や身体の皮膚に当てることによっても、皮膚に疲れや老化を防止することができる。特に吸入口２４を皮膚に直接当てることによってその効果を高めることができる。
【００２２】
水素水容器１７に入った水には水素が溶け込んでいるので、水素吸入の役目を終えた後に、この水素水を飲むこともできる。水中に溶け込んだ水素が抜けないうちの早期に飲んだ方が効果が高い。また、この水素水容器１７を使用せずに、水素発生容器１１で生じた水素を直接ミスト（霧）発生装置２２に接続しても良い。すなわち、第１の水素導入管１５をミスト（霧）発生装置２２と吸入口２４との接続部２７の水素入口２１に接続する。水素発生器１１では、酸化カルシウムに水を加えて水素を発生したが、他の水素発生方法を利用しても良い。たとえば、水素ボンベ内の水素を圧力を下げて使用する方法、水の電気分解による発生した水素を用いる方法、メタノールやエタノール等のアルコール改質により発生した水素を用いる方法である。将来多数設置予定の水素ステーションから水素を取る方法も有力である。ミスト発生装置として通常の市販のミスト発生装置を使用できる。
【００２３】
図２は、本発明の第２の実施形態を示す図で、本発明の水素霧化システム（スチーム水素システム）をヘアキャップに適用したものである。ミスト（霧）発生装置３１の出口部３９に水素ガス導入口３２を備えて水素ガスを導入する。水素ガスは水素発生装置４２で発生し、水素発生装置４２の出口部４３に接続した水素ガスチューブ４４を通って、水素ガスチューブ４４に接続した水素ガス導入口３２へ入る。ミスト（霧）発生装置３１の出口部３９でミスト（霧）発生装置３１で発生した霧と水素が混合して、その混合ガス（水素混合ミスト）が（霧）発生装置３１の出口部３９に接続した混合ガスチューブ３３を通っていく。混合ガスチューブ３３は人間３５の頭に被せた水素ガス注入用ヘアキャップ３６の水素ガス導入口３８に接続しているので、霧と水素の混合ガス（水素混合ミスト）は水素ガス注入用ヘアキャップ３６内へ導入される。水素ガス注入用ヘアキャップ３６は、キャップシート４０とその周囲端に取り付けられたヘアバンド３７で構成される。
【００２４】
水素ガス注入用ヘアキャップ３６を頭に被せて、ヘアバンド３７で頭の周囲を締め付けると、頭と水素ガス注入用ヘアキャップ３６の間は密閉状態になる。従って、霧と水素の混合ガス（水素混合ミスト）を水素ガス注入用ヘアキャップ３６内へ入れると、水素ガスは頭とヘアキャップ３６の間に入り、水素ガス注入用ヘアキャップ３６は膨らんで来て、頭に霧と水素の混合ガスによる圧力がかかる。頭は霧により程よく濡れた状態になり、頭皮がやわらかくなる。また、水素ガスは分子の大きさが小さいので、圧力がかかった水素ガスはやわらかくなった頭皮から頭の中へ水素ガスが浸入する。この結果、血流が良くなり、頭の状態がリラックスし、ダメッジヘア対策および抜毛・切毛予防効果があり、育毛効果や美容効果も期待される。水素混合ミスト（スチーム水素）を加熱する機構を備えることによって、頭部を適度に温めることができ、上記の効果を高めることもできる。尚、水素混合ミストの圧力は水素発生器４２やミスト発生装置３１の圧力により調節することができ、さらにコンプレッサー等を接続することによっても圧力調整できる。また、水素混合ミストの上流側で圧力を上げておき、減圧弁や減圧計を介在して圧力調整することもできる。
【００２５】
キャップシート４０は水素を漏らさず（通さない）、濡れても変質しない材料であれば良い。たとえば、アルミニウム、銅、鉄、ニッケル、亜鉛、チタン等の金属、これらの合金、これらの金属を主体とした材料、またはポリエチレン、ＰＥＴ（ポリエチレンテレフタレート）、ＰＣ（ポリカーボネート）、ポリプレン等のプラスチックである。あるいはこれらを組み合わせた材料でも良い。たとえばアルミ箔等の金属箔でラミネートしたプラスチックでも良い。金属は水素を透過しにくいがプラスチックは水素を透過しやすいので、これらを組み合わせることによって、プラスチックの利点（軽い等）と金属の利点（水素が透過しにくい等）を活用できる。ただし、数時間程度の保持であればプラスチックでも水素の透過量はそれほど大きくはないので、プラスチック単独でも本発明の適用上は特に問題ない。
【００２６】
図２の説明では、水素ガス注入用ヘアキャップ３６には水素と霧の混合ガスを導入したが、これら以外のガス（たとえば、空気、酸素、窒素）や液体（たとえば、アルコール）等を含んでも良い。あるいは、霧を含まなくても良い（すなわち、このときはミスト（霧）発生装置２２を使用しない。）が、霧による頭皮の軟化度が下がるので、頭の中に入る水素の割合が少し減少する可能性がある。あるいは、図１と同様に空気供給装置を設けて水素、または水素混合ミストに空気を混合させても良い。あるいは、水素と空気を混合させても良い。また、水素ガス注入用ヘアキャップ３６内の圧力が高まると頭が適度に圧迫されるので心地良さも感じられ、好ましいが、余りに高くなると圧迫感が強くなりすぎたり、水素ガス注入用ヘアキャップ３６が破裂したり、ヘアバンド３７が外れて壊れたりするので、逆止弁（一方向弁）を水素ガス注入用ヘアキャップ３６に取り付けたり、ある圧力以上になるとヘアバンド３７が（壊れずに）外れるようにしても良い。あるいは、ヘアキャップ３６に水素混合ミストをガス抜きする出口管や出口穴４１を設けると良い。出口管４１にバルブを備えてヘアキャップ３６と頭の間の圧力を調節することもできる。本発明のキャップシートを頭に装着して水素または混合ガスを頭の中に注入すれば、頭がリラックスし、頭の回転も良くなり、記憶力も向上する。さらに、痴呆症対策にもなり、医療費等の社会保障費の削減もできる。
【００２７】
本発明の霧と水素ガスとの混合ガスを眼に供給すれば、眼の疲れも回復しやすくなる。たとえば、ゴーグルメガネのように眼を被うメガネを眼に付けて、そのメガネに霧と水素ガスを供給し、適度な圧力（たとえば、1atm〜2.0atm）をかければ、眼は霧で潤いながら水素が眼球、水晶体、網膜、それらを取り巻く細胞や血管、リンパ管等に吸収され、眼の疲れを取ることができる。霧によりメガネが曇ったり、メガネ内に水がたまる可能性があるので、霧の量を少なくする機能や水を排出する機能を取り付けることもできる。また、余り圧力が上がらないように（たとえば、２atm以上）、逆止弁を取り付けても良い。
【００２８】
図３は、本発明の第３の実施形態を示す図で、水素ガスと霧を混合した水素混合ミストを用いた目洗浄容器（洗眼容器）システム（これを眼部水素混合ミスト接触洗眼容器と称する）を示す図である。本発明の眼部水素混合ミスト接触洗眼容器１１０は、目（眼部）に向ける開口部１１３および水素ガスと霧を混合した水素混合ミストを導入する水素混合ミスト導入口１１２を有する容器であり、容器本体１１１の水素混合ミスト導入口１１２に水素混合ミスト導入管（導入部）１１４が接続し、水素混合ミスト導入管（導入部）１１４には霧（ミスト）が通るミスト通管１１７がつながり、ミスト通管１１７はミスト（霧）発生装置１１５のミスト出口部１１６が接続している。また、水素混合ミスト導入管（導入部）１１４には水素通管１２２も接続し、水素通管１２２は水素発生装置１２０の水素出口部１２１に接続する。従って、ミスト（霧）発生装置１１５で発生したミスト（霧）Ｍはミスト通管１１７を通って、水素混合ミスト導入管（導入部）１１４に入り、また水素発生装置１２０で発生した水素Ｈ2は水素通管１２２を通って水素混合ミスト導入管（導入部）１１４に入る。
【００２９】
この結果、水素混合ミスト導入管（導入部）１１４でミスト（霧）Ｍと水素Ｈ2は混合する。容器本体１１１は水素混合ミスト導入口１１２から広がった空間を有し、開口部１１２を目の方向に向けたり、目の周囲の皮膚（眼部）に当てたりする。従って、水素混合ミスト導入管（導入部）１１４から出て容器本体１１１に広がった水素混合ミストは目に接触する。目に接触した水素混合ミストにより、ゴーグルメガネで説明した様に、眼の疲れ等が回復しやすくなる。また、目薬を水素混合ミストに混合することにより、目の治療も可能である。眼薬は、たとえばミスト（霧）発生装置１１５にミスト原料である水に混合して、ミスト（霧）発生装置１１５で発生するミスト（霧）に混合することができる。あるいは、霧を含まなくても良い（すなわち、このときはミスト（霧）発生装置１１５を使用しない。）あるいは、図１と同様に空気供給装置を設けて水素、または水素混合ミストに空気を混合させても良い。あるいは、水素と空気の混合気体を供給することもできる。開口部１１３が眼部に密着する場合、容器本体１１１内の空間の圧力が高まり目を圧迫するので、容器本体１１１に水素混合ミストをガス抜きする出口管や出口穴を設けると良い。開口部１１２が眼部に密着しても開口部１１２と眼部の接触部から水素混合ミストが漏れて容器本体１１１内の圧力が目に影響を与えるほど高くならなければ、容器本体１１１に水素混合ミストをガス抜きする出口管や出口穴を設けなくても良い。
【００３０】
図４は、本発明の第４の実施形態を示す図で、本発明の水素ガスと霧を混合した水素混合ミストを用いた脚部水素混合ミスト接触ボックスのシステム１３０を示す図である。図４では、ボックス１３１内の脚１３３の状態が分かるようにボックス１３１を透視図で描いている。本発明の脚部水素混合ミスト接触ボックス１３１は、水素ガスと霧を混合した水素混合ミストを導入する水素混合ミスト導入口１３４および開口部１３２を有し、開口部１３２から脚部１３３をボックス１３１内に入れて、水素混合ミスト導入口１３４からボックス１３１内に入ってボックス１３１内を充満した水素混合ミストに脚部１３３が接触する。水素混合ミストに接触した脚部１３３は、脚部１３３の疲労が癒されるとともに潤いを感じる。また、脚部や足の血流が良くなり、冷症改善や高血圧改善も可能である。特に水素が脚部の皮膚を通して脚部内に侵入して脚部の状態を良好にすることが期待される。ボックス１３１内に加熱機構、たとえば電熱ヒーターや赤外線ヒーター、または遠赤外線ヒーターを備えて、脚部を適度な温度に温めれば、その効果も高まる。加熱機構は足裏を載せる部分（すなわち、ボックス１３１の底）に配置することもできる。あるいは、ミスト（霧）発生装置１３８に加熱機構を取り付けて、ミスト（霧）を温めても良い。この場合はミスト（霧）をスチームと呼ぶこともでき、本発明の脚部水素混合ミスト接触ボックスのシステムをスチーム水素温足サウナと呼んでも良い。
【００３１】
開口部１３２が広ければ脚部１３３は入れやすいが、水素混合ミスト特に水素が開口部１３２から抜けやすいので、開口部１３２を小さくすることが望ましい。特に脚部１３３を入れる部分１４５だけを開口して狭くしておけば、水素混合ミストはボックス１３１内に長く滞留して効果を持続させることができるとともに、水素混合ミストの量も少なくすることができる。狭くなった開口部１４５の脚部１３３の締め付けを適度に調節すれば、水素混合ミストによりボックス１３１内の圧力が高まっても開口部１４５の脚部１３３の締め付け部から水素混合ミストが外側へ出ていき、過度にボックス１３１内の圧力が高まることはない。開口部１４５の脚部１３３の締め付けは、たとえば開口部１４５に調節用バンドを備えて締め付け程度を調節できる。尚、ボックス１３１内へ導入された水素混合ミストをガス抜きする出口１３５をボックス１３１に取り付けても良く、さらに出口管１３５にガス抜き調節用バルブを設けてボックス１３１内の圧力を調節しても良い。また、水素混合ミストによりボックス１３１の底に水滴が貯まるので、その貯水を外へ排出する排水口１３６を備えて良い。この排水管１３６にもバルブを取り付けておけば適宜排水することができる。
【００３２】
水素混合ミスト導入口１３４には霧（ミスト）が通るミスト通管１４０がつながり、ミスト通管１４０はミスト（霧）発生装置１３８のミスト出口部１３９が接続している。また、ミスト出口部１３９やミスト通管１４０、または水素混合ミスト導入口部１３４には水素通管１４３も接続し、水素通管１４３は水素発生装置１４１の水素出口部１４２に接続する。従って、ミスト（霧）発生装置１３８で発生したミスト（霧）はミスト通管１４０を通って、水素混合ミスト導入管（導入部）１３４に入り、また水素発生装置１４１で発生した水素Ｈ2は水素通管１４３を通って水素混合ミスト導入管（導入部）１３４等に入って、そこで水素混合ミストとなる。あるいは、霧を含まなくても良い（すなわち、このときはミスト（霧）発生装置１３８を使用しない。）あるいは、図１と同様に空気供給装置を設けて水素、または水素混合ミストに空気を混合させても良い。ボックス１３１の材質はアクリル、ポリエチレン、ポリカーボネート、ポリプレン等のプラスチックや各種セラミック、またはアルミ、亜鉛、銅、各種合金等の金属、これらの複合体、アルミ等の金属箔でラミネートしたプラスチックや各種セラミック、材木である。プラスチックは水素を透過するが、脚のボックス内に保持する時間はせいぜい数時間程度であるから、この程度の時間で透過する水素量は少ないので、特に問題はない。金属製や金属箔でラミネートしたものは水素の透過量は極めて小さいので全く問題はない。その他の水素やミストを通る部分についても上記の材料で作製すれば良い。
【００３３】
図５は、本発明の第５の実施形態を示す図で、本発明の水素ガスと霧を混合した水素混合ミストを導入する導入口および開口部（ウエスト部）を有する下半身水素混合ミスト接触スカートのシステム１５０を示す図である。図５では、スカート１５１内の下半身１５８の状態が分かるようにスカート１５１を透視図で描いている。本発明の下半身水素混合ミスト接触スカート１５１は、水素ガスと霧を混合した水素混合ミストを導入する水素混合ミスト導入口１５７および開口部（ウエスト部）１５２を有し、開口部１５２から下半身１５８をスカート１５１内に入れて、水素混合ミスト導入口１５７からスカート１５１内に入ってスカート１５１内を充満した水素混合ミストに下半身１５８が接触する。（ここで下半身１５８は裸が望ましい。）水素混合ミストに接触した下半身１５８は、下半身１５８の疲労が癒され潤いを感じる。特に水素が下半身１５８の皮膚を通して下半身内に侵入して下半身の状態を良好にすることが期待される。スカート１５１内に加熱機構、たとえば電熱ヒーターや赤外線ヒーター、または遠赤外線ヒーターを備えて、下半身を適度な温度に温めれば、その効果も高まる。加熱機構はスカートの生地部分に組み込むこともできる。
【００３４】
スカート１５１の開口部１５２にはベルト等の締め付け部材１５４を備えて締め付け部材１５４を適度に締め付ければ、水素混合ミストがスカート内に充満し、溢れた水素混合ミストはスカート１５１の下端（裾部）１５３から外側へ出ていく。裾部１５３を閉じて塞ぐこともできる。その場合は、スカート１５１内に水素混合ミストが充満して圧力が高まっていくが、締め付け部材１５４の締め付け程度により開口部１５２から水素混合ミストが外側に出ていく。また、スカート１５１に水素混合ミストをガス抜きする出口管や出口穴１５５を設けると良い。出口管１５５にバルブを設けてスカート１５１内の圧力を調節することもできる。裾部１５３を閉じた場合、スカート１５１の底部に水が貯まるので、水分排出口や排出管１５６を設けておき、貯留した水分を排出することができる。水分排出口や排出管１５６に排水調整用バルブを設けて排水時期や排水量を調整することができる。水素混合ミスト導入口１５７には、（水素混合）ミスト通管１４０が接続するが、この先は図４に示す水素混合ミスト発生機構と同じなので、図４と同じ符号を付している。あるいは、霧を含まなくても良い（すなわち、このときはミスト（霧）発生装置１３８を使用しない。）あるいは、図１と同様に空気供給装置を設けて水素、または水素混合ミストに空気を混合させても良い。
【００３５】
図６は、本発明の第６の実施形態を示す図で、本発明の水素ガスと霧を混合した水素混合ミストを導入する導入口および開口部を有する水素混合ミスト接触サウナ（スチーム水素風呂と呼んでも良い）のシステム１６０を示す図である。本発明の水素混合ミスト接触サウナ１６１は、水素ガスと霧を混合した水素混合ミストを導入する水素混合ミスト導入口１６５および開口部１６３を有し、開口部１６３から身体（下半身および上半身）１６８をサウナ１６１内に入れて、水素は水素混合ミスト導入口１６５からサウナ１６１内に入っているので、サウナ１６１内を充満した水素混合ミストに身体（下半身および上半身）１６８が接触する。
【００３６】
水素混合ミストに接触した下半身および上半身１６８は、下半身および上半身１６８の疲労が癒され潤いを感じる。特に水素が下半身および上半身１６８の皮膚を通して身体（下半身および上半身１６８）内に侵入して下半身および上半身の状態を良好にすることが期待される。サウナ１６１内に加熱機構、たとえば電熱ヒーターや赤外線ヒーター、または遠赤外線ヒーターを備えて、下半身を適度な温度に温めれば、その効果も高まる。および／または水素混合ミスト（スチーム水素）を加熱して、その加熱スチーム水素をサウナ１６１内に導入することもできる。たとえば、ミスト発生装置１３８に加熱機構（温熱霧化機構）を設けてミスト（霧）を温めることもできる。サウナ１６１の開口部１６３にファスナー等の開口部調整機構１６４を備えて開口部１６３の大きさを調整することによって、水素混合ミスト導入口１６５からサウナ１６１内に入った水素混合ミストの滞留時間を長くすることができ、水素混合ミスト料を節約することができる。首部分または身体部分で開口部１６３を締め付ける締めつけ部を備えれば、さらに水素混合ミスト導入口１６５からサウナ１６１内に入った水素混合ミストの滞留時間を長くすることができる。
【００３７】
この場合は、サウナ１６１内の水素混合ミストによる圧力が高まるので、サウナ１６１に水素混合ミストをガス抜きする出口管や出口穴１６７を設けると良い。出口管１６７にバルブを設けてサウナ１６１内の圧力を調節することもできる。サウナ１６１の底部に水が貯まるので、水分排出口や排出管１６６を設けておき、貯留した水分を排出することができる。水分排出口や排出管１６６に排水調整用バルブを設けて排水時期や排水量を調整することができる。水素混合ミスト導入口１６５には、（水素混合）ミスト通管１４０が接続するが、この先は図４に示す水素混合ミスト発生機構と同じなので、図４と同じ符号を付している。あるいは、霧を含まなくても良い（すなわち、このときはミスト（霧）発生装置１３８を使用しない。）あるいは、図１と同様に空気供給装置を設けて水素、または水素混合ミストに空気を混合させても良い。
【００３８】
小型水素ボンベ（圧縮水素や液体ヘリウムを入れる）や小型水素発生器を携帯すれば、ウエアラブルでいつでもどこでも携帯でき、身体や眼、頭等に水素を吸収できる。圧力調整器を取り付ければ、適度な圧力で水素を供給できる。また、ヘアーブラシへ霧と水素ガスとの混合ガスを供給するようにすれば、髪のつやを増したり、毛根等から水素を吸収することもできる。育毛作用やはげ防止も期待できる。
【００３９】
上記説明した様に、本発明の水素霧化システムは、霧と一緒に水素を身体に吸収することができ、身体の水素吸収効率が高まり、血圧低下、血圧安定化、血糖値低減、ストレス解消等の効果により健康増進をはかることができる。スポーツ前、スポーツ中、およびスポーツ後に本発明の水素霧化システムを使用すれば、トレーニング効果が増大する。また、お年寄りが本発明の水素霧化システムを使用すれば、老化防止や痴ほう症改善等にも効果がある。本発明の水素霧化システムを使用して水素混合ミストを１０分間吸入すると、ストレスチェッカーを用いたデータとしてストレスが改善し、高血圧の人（血圧１７０以上）は血圧が１５０以下に低下した。霧の中に香りを含ませることによりさらに心地良くリラックスさせることもできる。
【００４０】
これまで、水素発生装置とミスト発生装置を組み合わせた水素霧化システムを説明してきたが、ミスト発生装置に加えて、空気発生装置を加えても良い。たとえば、図１の接続部（接続管）２７に空気発生装置２９の導入管８２を接続して、水素、ミスト、および空気を混合した空気混合水素霧化システムとすることができる。この空気混合水素霧化システムも水素霧化システムと同様な効果を発揮することができる。また、ミスト発生装置を使用せずに水素と空気の混合気体を供給することもできる。この場合は水素空気混合気体システムと呼ぶことができる。ミスト発生装置も空気発生装置も使用しなければ水素だけを供給する水素供給システムとなる。また、他の実施例についても同様である。空気発生装置としては、たとえばエアーコンプレッサーであり、エアーコンプレッサーからの供給される空気の量を調節しても良い。
【００４１】
図８は、手、つめに水素、または水素に加えてミスト、および／または空気（Ａｉｒ）を接触させる装置７１を示す図である。ボックス７２内に気体導入管７３、７８が接続し、この気体導入管７３、７８を通してボックス７２内に水素、または水素に加えてミスト、および／または空気（Ａｉｒ）を導入する。気体導入管７３は、たとえば、ミスト発生器、エアーコンプレッサー等に接続し、ミストや空気をボックス７２内に導入し、またこれらの流量を調整する調整器もそれぞれ備えても良い。気体導入管７８は、たとえば、水素発生器と接続し、水素をボックス７２内に導入し、またこれらの流量を調整する調整器もそれぞれ備えても良い。気体導入管７８から導入した水素と気体導入管７３から導入したミストおよび／または空気はボックス７２内で混合する。あるいは、気体導入管７３および７８を一つにして水素、ミストや空気をミックスしてボックス７２内に導入しても良い。ボックス７２の開口側７４から手７６および前腕７５を入れて、指の爪側をボックス７２の奥側に配置する。ボックス７２の奥側には気体導入管７３、７８が接続していて、指の爪側に最初に水素等（水素、ミスト、空気、これらの混合（ミックス）気体）が接触する。ボックス７２内に充満した水素等は開口部７４から押し出される。手７６および前腕７５に水素、または水素に加えてミスト、および／または空気（Ａｉｒ）を当てて、これらの皮膚を通じて特に水素が身体中に入っていき、皮膚の疲れや老化を防止し、血流を良くすることができる。また、指の爪７７および指の爪７７の裏側も水素等に晒されて、指の爪７７の血色やつやを改善できる。
【００４２】
本発明は、ミストおよび／または空気を水素と混合したものについて説明してきたが、水素だけでも効果がある。たとえば、図２に示すような実施形態において、ミスト発生装置３１を用いずに、水素発生装置４２から供給される水素を水素ガス注入用ヘアキャップ３６へ導入し、頭に水素を供給した場合の効果を図９に示す。すなわち、図９は、水素注入前後の手の毛細血管および血管の血流を示す図で、手の毛細血管や血管の血流を特殊な顕微鏡で見たものである。この種の特殊顕微鏡としてたとえば毛細血管スコープがある。水素注入前（図９（ａ）における手の毛細血管の血流に対して、水素注入後１分（図９（ｂ）で毛細血管の先の方まで血流が伸び、かつ新たな毛細血管への血流が出てきており、毛細血管の血流が改善している。水素注入後１０分（図９（ｃ））では、さらに毛細血管の先の方まで血流が伸び、毛細血管の血流が大幅に改善している。このように、頭に水素を供給すると、頭から遠く離れた手の毛細血管の血流がかなり改善され、水素の供給効果が明確に分かる。すなわち、水素が身体の一部から侵入すると血管やリンパ管等に入り、血管等の血流やリンパ流等に乗り身体のあちこちに運ばれる。水素の分子は小さいので、毛細血管が細くてもその内部に入っていくが、このときに血流が身体中に存在する毛細血管の奥まで一緒に入っていくと考えられる。活動していない毛細血管も水素供給により復活できる。また水素供給により、新しい毛細血管も形成できる。リンパ流についても同様であると考えられる。この結果から、頭だけでなく身体の一部や全部に水素等（水素、または水素とミストの混合気体、または水素と空気の混合気体、水素とミストと空気の混合気体、あるいはこれらに他の気体や液体を加えたものを含む）を当てると身体各部の毛細血管の血流が改善され、疲労回復、老化改善、身体各所や臓器等のむくみ改善、痴呆症・認知症改善、他の病気や症状の改善などを実現できる。
【００４３】
水素、水素混合ミスト（水素と霧を混合したもの）、水素空気混合気体、または水素霧空気混合気体を口や鼻で吸引したり、頭部、眼や各種身体部所に圧力をかけて水素を吸収させたりするには、個別には簡単な設備で可能であるが、全体をまとめて実施するにはそれなりの大掛かりな設備や環境を整えたりする必要がある。そこで、これらの水素の力を最大限に利用したサロンを作ることによって、多数の人の健康増進に役立てることができる。それを水素ヘルスステーションと名付ける。水素ヘルスステーションでは、大小種々の水素発生器を備え、種々の水素吸入系へ水素を供給する。たとえば、大小の液体水素タンクや圧縮ボンベ、大規模な電気分解水素発生装置、アルコール由来水素発生装置、酸化カルシウム等による水素発生器などを備えておき、大衆浴場風呂への水素供給、多数の水素吸引・吸収システム、多数の水素水飲料装置などを用意する。サロン形式で利用できるので、人はリラックスし休憩した状態で水素を身体中へ吸収し、多数の人が同時に健康増進をはかることができる。尚、各実施形態でも説明しているが、上記の吸入マスク、ゴーグル、ヘアキャップ、ボックス、スカート、またはサウナ、またはその他の水素混合ミスト（スチーム水素）が通る部材の一部または全部の材質は、金属、プラスチック等、或いはアルミ箔または金属箔でラミネートしたもの、或いはこれらの組合せで構成することができる。
【００４４】
近年の複雑化した世界ではうつ病などの精神疾患を治療したり予防したりすることが活発に行なわれており、ストレスチェックも義務化されつつある。本水素ヘルスステーションでは、ストレスチェックメータを備えて、常時ストレス度合をチェックし、各種の水素健康システムにより、精神的ストレスを緩和することができる。水素健康システムとして、たとえば水素ガスの利用、水素や水素混合ミストの照射・吸引・吸収、飲料用水素水の利用、水素バスへの利用、スチームシャワー・、ヘッドキャップ・スチームヘアブラシに水素を供給して使用することなどが挙げられる。この水素ヘルスステーションと既存技術・設備（たとえば、エステテックサロン、美容院、水素バー・ホテル）との融合も効果がある。さらに、水素サロンの開業支援として、水素サロン運用トレーニング、水素関連機器のメンテナンス、水素関連機器の販売、水素関連の情報提供などへ展開することも可能である。このように、本発明の水素ヘルスステーションは水素を活用した健康と美容ビジネスへの展開が可能である。将来水素自動車が普及して水素ステーションが多数設置されれば、その水素ステーションから簡単に水素を獲得することもできる。
【００４５】
以上詳細に説明したように、本発明は水素、水素および霧を混合した水素霧混合気体（この場合は水素霧化システム）、水素および空気、または水素および霧および空気を混合した水素霧空気混合気体を身体に供給する水素供給システムであり、システムを用いることによって、身体の各所に水素を供給し身体に吸収させることができる。尚、本明細書において、明細書のある部分に記載し説明した内容について記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本発明の権利範囲が前記実施形態に限定されないことも言うまでもない。
【産業上の利用可能性】
【００４６】
水素は分子が小さく身体の皮膚や細胞を通して浸入するので、本発明は身体のすべての部所に供給することによって、健康増進を高めることができる。
【符号の説明】
【００４７】
１０水素霧化システム、１１水素発生装置、１２水素発生剤ホルダー、１３キャップ、
１４気体出口、１５（第１の）水素導入管、１６水素吸入管、１７水素水容器、
１８水素導入入口、１９（第２の）水素導入管、２０出口、２１水素入口、
２２ミスト（霧）発生装置、２３吸入マスク、２４吸入口、２５蓋、２６出口、
２７接続部、３１ミスト（霧）発生装置、３２水素ガス導入口、３３混合ガスチューブ、
３５人間、３６水素ガス注入用ヘアキャップ、３７ヘアバンド、３８水素ガス導入口、
３９出口部、４０キャップシート
【図１】
2018023562.tif 000003
【図２】
2018023562.tif 000004
【図３】
2018023562.tif 000005
【図４】
2018023562.tif 000006
【図５】
2018023562.tif 000007
【図６】
2018023562.tif 000008
【図７】
2018023562.tif 000009
【図８】
2018023562.tif 000010
【図９】
2018023562.tif 000011